(57)【特許請求の範囲】
【請求項１】
自立柱間に張設した室内側と室外側の弦材からなる水平トラスと、上部構造体より最下部のスパンのガラス板の上部まで張設した室内側と室外側の縦弦材からなる垂直トラスとからなり、水平トラスと垂直トラスの交点部に接続金具を設け、室内側弦材と室外側弦材間に接続金具を介して垂直トラスと共有する圧縮材のロッドを設け、ガラススクリーン側に位置する接続金具に軸着した支持金具の支持アームにガラス板の隅部に設けた穿設部を締付ボルトとナットで締付挟持する締付金具を取付け、最下部のスパンをトラス無しとし、上部２点で吊下げられている、最下部のスパンのガラス板の下端をガラス板の荷重により前に垂れようとする力を抑えるためにサッシ枠で支持したことを特徴とするガラススクリーンのトラス構造。
【請求項２】
前記水平トラス、垂直トラスを構成する弦材、圧縮材、縦弦材をロッドとし、最下部より上方のスパンのガラス板の荷重により前に垂れようとする力によって、垂直トラスの室内側の縦弦材に働く圧縮力を抑えて、垂直トラスの室内側縦弦材の座屈変形を発生させない強度のロッドからなる縦弦材を用い、前記自立柱間に架設する水平トラスの両端にソケット継手による張力導入手段を介して定着するようにしたことを特徴とする請求項１記載のガラススクリーンのトラス構造。
【請求項３】
自立柱と自立柱の中間部に補助の自立柱を設け、補助の自立柱のガラススクリーン側と室内側にそれぞれ接続金具を固着させ、補助の自立柱に設けた接続金具と自立柱に固着した取付金具にソケット継ぎ手を介して水平トラスを張設し、さらに、ガラススクリーン側に位置する接続金具に軸着した支持金具の支持アームにガラス板の隅部に設けた穿設部を締付ボルトとナットで締付挟持する締付金具を取付け、ガラス板の荷重を補助の自立柱で支持するようにしたことを特徴とする請求項１または２記載のガラススクリーンのトラス構造。
【請求項４】
ガラススクリーンの両端部は、自立柱を取り囲む化粧板付近に固設したサッシ枠にはめ込み支持するようにしたことを特徴とする請求項１乃至３のいずれかに記載のガラススクリーンのトラス構造。
【請求項５】
ガラススクリーンの両端部は、自立柱に直接、２点支持用、または１点支持用の支持金具にてガラス板の隅部穿設部を支持するようにしたことを特徴とする請求項１乃至３のいずれかに記載のガラススクリーンのトラス構造。
【請求項６】
前記最下部スパンのガラス板の下端をセッティングブロックを介してサッシ枠で支持するようにしたことを特徴とする前記請求項１乃至５のいずれかに記載のガラススクリーンのトラス構造。
【請求項７】
前記最下部スパンのガラス板の下端をガスケットで支持するようにしたことを特徴とする前記請求項１乃至５のいずれかに記載のガラススクリーンのトラス構造。
【請求項８】
前記最下部スパンのガラス板の下端の隅部を独立した点支持金具で支持するようにしたことを特徴とする前記請求項１乃至５のいずれかに記載のガラススクリーンのトラス構造。
【発明の詳細な説明】
【０００１】
【発明の属する技術分野】
本発明は、ガラススクリーンを支持するトラス構造に関し、詳細にはガラス板を点支持金具を介して支えるロッドで構成したトラス構造に係るものである。
【０００２】
【従来の技術】
ガラス板の取り付けはサッシで保持するものから、フレームレス構法の接着方式、金属金具による点支持構法があり、接着方式としては方形なガラス板の各辺を枠と構造用シーリング材で線支持するもの（実開平１−１２２１１０号公報、特開昭６４−１０８４５号公報）、金属金具の点支持構法のものとしては、例えば特開平６−１１７０８７号の公報には、各ガラスパネルの四隅には貫通孔が設けられ、これらの貫通孔を通してパネル支持金物により各ガラスが躯体側に固定され、その実施例として、梁および柱により建物躯体側の構造体が構成され、該柱間に張設のワイヤトラスに強化、半強化、合せガラス等からなるガラスパネルが装着され、最上位のガラスパネルの上縁部には吊り支持金物が取付けられ、この吊り支持金物により縦方向に連結された４枚のガラスパネル重量を梁で支持し、四隅部の支持金物は実質上パネルの重量は支持せず、ガラスパネルを風圧力等による水平方向の引張り、圧縮に対し躯体側に固定する作用を果すことが開示されている。
【０００３】
また、先に本出願人が出願した特開平６−１９３１７１号公報に、ロッドに軸着のボスから四方に放射するアームの先端にガラス板の四隅を螺着する吊り下げガラス板の支持構造において、前記アームをＩ字状あるいはＶ字状の取付金具とし、その片端もしくは交点を、前記ボスを挟みその上下に固着延設する回動部材の両端あるいはその一方に軸着し、並設する左右のガラス板にはＶ字状のアームを、ガラス板の褄側にはＩ字状のアームの取付金具を組合せ、前記ボスの反面側に前記ロッドを固着する突起軸部を設け、その上下に杆材を設けこれを介して前記ガラス板を支持するガラス板の支持構造を提供している。
【０００４】
さらに、特開平７−３４５６２号公報には、屋根やガラスカーテンウォール外壁の風等による振動を有効に無くすために、屋根や壁などの構造材に引張ケーブルを併設して所要の引張り力で緊張させる張索構造体において、上記引張りケーブルにはニッケル・チタン合金などの超弾性合金から成るジョイント部を設けてプレストレスを導入した張索構造体が開示されている。
【０００５】
さらにまた、本出願人による先の出願の特願平６−１８３３６１号には、ガラス板の四隅に設けた孔と螺着の取付金具を、自立柱に直接あるいはその間に架設し風圧力を受ける水平な主トラスの室外側に位置する弦材、圧縮材との交点に回動自在に軸着し、前記自立柱上の躯体に固着する最上段の前記取付金具から垂下あるいは下方の取付金具間に杆材を連設するガラススクリーンの構造体において、前記杆材を室外側の弦材とし、圧縮材を前記主トラスの圧縮材と共通するように結構する垂直トラスを配設したガラススクリーンの構造体を提供した。
【０００６】
【発明が解決しようとする課題】
接着方式のものは、地震による層間変位と風圧による動きを吸収させるため、縦、横の部材の断面構造が複雑、あるいは該変位をシール材の弾性変形で吸収も複雑なシール材の形状となる欠点を有し、
特開平６−１１７０８７号公報のガラスパネル支持金物によるものは、風圧を水平に張設したワイヤトラスに負担させる構造のため予め付与する張力は過大な手段を必要とし、ワイヤの膨張における弛み対策、さらにはガラスパネルの自重等の吊り下げ荷重の負担は最上段に配設する支持金物間に別途吊り下げ手段を要し、さらにガラスパネルの破損時の取り替えにおいては、その下方のガラスパネルの自重を別途支持する手段をその都度必要とする問題があり、
また、特開平６−１９３１７１号公報で、前記吊り下げ手段の問題に対して垂設の取付金具間を固着する杆材を垂直に配設してガラス板を吊り下げる支持構造を提供して解決したが、新たに地震等による上下動や熱伸縮を吸収する手段を要するという問題があり、
さらに、特開平７−３４５６２号公報のものは最下部のガラス板のスパンにおいて、超弾性合金から成るジョイント部が室内側に張り出して設けられており、ジョイント部が室内側に張り出している部分だけ室内空間の利用が制限され、またジョイント部が透明なガラス板の視認性を低下させ、邪魔なものとなっている。
【０００７】
さらにまた、本出願人による特願平６−１８３３６１号のものにおいては、地震、熱膨張等による圧縮にも対応できる構造体を提供しているが、最下部のガラス板のスパンにおいて、特開平７−３４５６２号公報のものと同様に垂直トラスの弦材が室内側に張り出している部分だけ室内空間の利用が制限され、また垂直トラスの弦材が透明なガラス板の視認性を低下させ、邪魔なものとなっている。
【０００８】
【課題を解決するための手段】
本発明は、従来のかかる問題に鑑みてなされたもので、わずかな初期張力でより経済的な部材でかつ地震、熱膨張等による圧縮にも対応でき、室内空間の有効利用、および視認性を向上させる構造体の提供を目的とする。
すなわち、本発明は、自立柱間に張設した室内側と室外側の弦材からなる水平トラスと、上部構造体より最下部のスパンのガラス板の上部まで張設した室内側と室外側の縦弦材からなる垂直トラスとからなり、水平トラスと垂直トラスの交点部に接続金具を設け、室内側弦材と室外側弦材間に接続金具を介して垂直トラスと共有する圧縮材のロッドを設け、ガラススクリーン側に位置する接続金具に軸着した支持金具の支持アームにガラス板の隅部に設けた穿設部を締付ボルトとナットで締付挟持する締付金具を取付け、最下部のスパンをトラス無しとし、上部２点で吊下げられている、最下部のスパンのガラス板の下端をガラス板の荷重により前に垂れようとする力を抑えるためにサッシ枠で支持したことを特徴とするガラススクリーンのトラス構造である。
あるいは、本発明は、前記水平トラス、垂直トラスを構成する弦材、圧縮材、縦弦材をロッドとし、最下部より上方のスパンのガラス板の荷重により前に垂れようとする力によって、垂直トラスの室内側の縦弦材に働く圧縮力を抑えて、垂直トラスの室内側縦弦材の座屈変形を発生させない強度のロッドからなる縦弦材を用い、前記自立柱間に架設する水平トラスの両端にソケット継手による張力導入手段を介して定着するようにしたことを特徴とする上述のガラススクリーンのトラス構造である。
あるいはまた、本発明は、自立柱と自立柱の中間部に補助の自立柱を設け、補助の自立柱のガラススクリーン側と室内側にそれぞれ接続金具を固着させ、補助の自立柱に設けた接続金具と自立柱に固着した取付金具にソケット継ぎ手を介して水平トラスを張設し、さらに、ガラススクリーン側に位置する接続金具に軸着した支持金具の支持アームにガラス板の隅部に設けた穿設部を締付ボルトとナットで締付挟持する締付金具を取付け、ガラス板の荷重を補助の自立柱で支持するようにしたことを特徴とする上述のガラススクリーンのトラス構造である。
あるいはまた、本発明は、ガラススクリーンの両端部は、自立柱を取り囲む化粧板付近に固設したサッシ枠にはめ込み支持するようにしたことを特徴とする上述のガラススクリーンのトラス構造である。
あるいはまた、本発明は、ガラススクリーンの両端部は、自立柱に直接、２点支持用、または１点支持用の支持金具にてガラス板の隅部穿設部を支持するようにしたことを特徴とする上述のガラススクリーンのトラス構造である。
あるいはまた、本発明は、前記最下部スパンのガラス板の下端をセッティングブロックを介してサッシ枠で支持するようにしたことを特徴とする上述のガラススクリーンのトラス構造である。
あるいはまた、本発明は、前記最下部スパンのガラス板の下端をガスケットで支持するようにしたことを特徴とする上述のガラススクリーンのトラス構造である。
あるいはまた、本発明は、前記最下部スパンのガラス板の下端の隅部を独立した点支持金具で支持するようにしたことを特徴とする上述のガラススクリーンのトラス構造である。
【０００９】
本発明のガラススクリーンのトラス構造は、自立柱に直接接続金具を介して支持金具を軸着し、あるいは自立柱間に張設した水平トラスと上部構造体より最下部のスパンのガラス板の上部まで張設した垂直トラスからなり、水平トラスと垂直トラスの交点部にトラスを形成する室内側と室外側の弦材、 室内側と室外側の縦弦材、及び 室内側弦材と室外側弦材間に設けた垂直トラスと共有する圧縮材のロッドを接続する接続金具を設け、ガラススクリーン側に位置する接続金具に軸着した支持金具の中心より四方に延設した支持アームに、４枚の隣接するガラス板の隅部に設けた穿設部を締付挟持する締付金具をそれぞれ取付け、最下部のスパンをトラス無しとし、上部２点で吊下げられている、最下部のスパンのガラス板の下端をガラス板の荷重により前に垂れようとする力を抑えるためにサッシ枠で支持した。
【００１０】
ガラススクリーンが受ける風圧荷重により、水平トラスの室内側弦材はそれぞれ引張り力が働き、風圧によるガラススクリーンの変形を抑えようとする。逆に室内側が正圧になると、水平トラスのガラススクリーン側の弦材が引張り材として働き、ガラススクリーンが変形しても復帰できるようにバランスを保っている。
【００１１】
また、ガラス板および支持金物等の荷重は垂直トラスが支えているが、特に垂直トラスの内のガラススクリーン側の縦弦材によりガラス板の上部隅部位置２点に設けた支持金具でガラス板および支持金物の荷重を吊り下げ支持しており、ガラス板の下部隅部に設けた支持金具はガラス板の荷重を支えず、ガラス板の位置、傾き等の規制を主として補助的に支持するものである。
【００１２】
ガラス板の上部隅部の穿設部を締付挟持する締付金具を前記支持金具の中心から四方に延設の支持アームの先端のネジ孔に取り付け、該支持金具をトラスを接続する接続金具よりガラススクリーン側に突出のロッドに軸着する。
【００１３】
いま、最下部スパンのガラス板は上部２点で吊り下げられ、下端では支持していない状態で、吊り下げたガラス板の荷重によりガラス板が前に垂れようとする力が働き、さらに垂直トラスのガラススクリーン側の縦弦材と圧縮材との交点に設けた接続金具を支点にして、圧縮材の室内側寄りの部分が上方に持ち上がろうとする力が働き、垂直トラスの室内側の縦弦材が圧縮力を受け、この圧縮力に耐えられるだけの強度を垂直トラスの室内側縦弦材に持たせ、該室内側縦弦材のロッドの径を太くして前記圧縮力による座屈変形の発生を抑えた。
【００１４】
さらに、最下部より２番目のスパンのガラス板は、同様に上部隅部２点で吊り下げ支持するが、最下部のスパンのガラス板と同様に、最下部のガラス板の下端が支持されていない状態であるため、２番目のガラス板も荷重により前に垂れようとする力が働き、さらに垂直トラスのガラススクリーン側の縦弦材と圧縮材との交点に設けた接続金具を支点にして、圧縮材の室内側寄り部分が上方に持ち上がろうとする力が働き、垂直トラスの最下部より３段目に位置する室内側の縦弦材が２番目のスパンのガラス板の荷重による圧縮力と、垂直トラスの２番目のスパンの室内側縦弦材に受けている圧縮力の両方を受け、この圧縮力に耐えられるだけの強度を垂直トラスの室内側縦弦材に持たせ、該室内側縦弦材のロッドの径を太くして前記圧縮力による座屈変形の発生を抑えた。
【００１５】
あるいは、ガラススクリーンの最下部スパンのガラス板の下端辺をサッシ枠等の支持手段、例えば最下部のスパンのガラス板の荷重をサッシ枠等に預けることにより、該ガラス板の上部隅部位置にガラス板の荷重がかからないようにし、最下部より２番目のスパンのガラス板の垂直トラスの室内側の縦弦材に圧縮力が働かないようにすることで、最下部より２番目の垂直トラスの室内側弦材のロッドの径は通常とすることができ、
さらに、最下部より２番目のスパンのガラス板は、同様に上部隅部２点で吊り下げ支持するが、最下部のスパンのガラス板は下端のサッシ枠に荷重を預けているが、２番目のスパンのガラス板は最下部のスパンのガラス板とは異なって上部隅部２点で吊り下げ支持となって、垂直トラスのガラススクリーン側の縦弦材と圧縮材との交点に設けた接続金具を支点にして、圧縮材の室内側寄り部分が上方に持ち上がろうとする力が働き、垂直トラスの最下部より３段目に位置する室内側の縦弦材が２番目のスパンのガラス板の荷重による圧縮力のみを受け、この圧縮力に耐えられるだけの強度を垂直トラスの室内側縦弦材に持たせ、該室内側縦弦材のロッドの径を太くして前記圧縮力による座屈変形の発生を抑えた。
【００１６】
また、張力導入手段をソケット継手とし、該ソケット継手を緊締することによる容易な取り付けができ、わずかな緊張力を付与して水平トラスを定着するため、風圧力で発生し追加される引張力にも耐える経済的な部材断面にすることができる。
【００１７】
さらに、前記最下部スパンのガラス板の下辺端をサッシ枠で支持することにより、最下部スパンのガラス板の荷重が、最下部より２番目のスパンの縦トラスの室内側縦弦材に与える圧縮力を発生させないようにし、
また、前記最下部スパンのガラス板の下端をガスケットで支持するようにし、さらに、前記最下部スパンのガラス板の下端の隅部を独立した点支持金具で支持するようにした。
【００１８】
【発明の実施の形態】
以下、本発明の一実施例を図面に基づいて詳細に説明する。
図１は一部を切欠、省略したガラススクリーン側から見た該ガラススクリーンを支持するトラス構造の斜視図を示し、図２は本発明のトラス構造の一部を切欠、省略した水平トラスの平面図、図３は本発明のトラス構造の一部を切欠、省略した垂直トラス８の縦断面図、図４は本発明の別の実施例のトラス構造の斜視図、図５は本発明のトラス構造の別の実施例のトラス構造の一部を切欠、省略した平面図、図６は一部を切欠、省略し、上下にＶ字状のアームを設けた三軸方式の取付金具を示す斜視図、図７は上部構造体に取付けた支持金具の側面図、図８は自立柱に張力導入手段を介して水平トラスを設ける一部を省略、切欠した平面図、図９は最下部スパンのガラス板の下端部の支持方法を説明する一部を省略、切欠した縦断面図を示す。
【００１９】
以下に具体的なガラススクリーンのトラス構造の実施例を示すが、本発明はこれに限るものではなく種々の応用が考えられるものである。
まず一実施例として、図１に示すように自立柱３と自立柱３との間に縦寸法が２，５００ｍｍ〜３，１００ｍｍ、横寸法が１，８００ｍｍのガラス板１を縦横３段３列の合計９枚併設し、ガラススクリーン２を支持形成するためのトラス構造を示した。トラス構造は自立柱３、３間に張設した水平トラス５と上部構造体４より最下部のスパンのガラス板１の上部まで張設した垂直トラス８からなり、水平トラス５と垂直トラス８の交点部にトラスを形成する室内側と室外側の弦材６、６'、 室内側と室外側の縦弦材９、９'、及び 室内側弦材６と室外側弦材６'間に設けた垂直トラス８と共有する圧縮材７のロッドを接続する接続金具１０、１０、・・を設け、ガラススクリーン２側に位置する接続金具１０、１０、・・に軸着した支持金具１１、１１、・・の中心より四方に延設した支持アーム１５に、４枚の隣接するガラス板１の隅部に設けた穿設部を締付挟持する締付金具１８をそれぞれ取付け、各ガラス板１を四隅で支持し、ガラススクリーン２を形成した。
【００２０】
水平トラス５としては前記自立柱３と自立柱３間に外径が１６ｍｍφからなる機械構造用鋼棒のロッド材１、２本を図１、図２のように張設し、中央部が室内側弦材６と室外側弦材６'からなり、外径３０ｍｍφの圧縮材７との交点部より自立柱３に向けて張設時は、室内側弦材６と室外側弦材６'とをクロスさせ、室外側弦材６'は自立柱３の室内側に設けた取付金具１２に取付け、室内側弦材６は自立柱３の室外側に設けた取付金具１２'に取付けた。
【００２１】
室内側弦材６はガラススクリーン２が風圧荷重に耐えられるように、１６ｍｍφの機械構造用鋼棒のロッド２本を張設した。
室内側弦材６と室外側弦材６'間には垂直トラス８と共有する３０ｍｍφの機械構造用鋼棒からなる圧縮材７を設け、室内外両方向からの風圧に対処すべく水平トラス５の張力を支え維持するものである。
【００２２】
垂直トラス８としては図３および図７に示すように、上部構造体４に固着した吊金具に取付座２２を介して取付金具２１を、該取付金具２１の下方に固着した取付板２３を介して縦弦材９、９'と連結し、さらに水平トラス５と共有の圧縮材７と接続し、縦弦材９、９'は最下部スパンのガラス板１の上端位置までとし、該位置において縦弦材９、９'の下端間にそれぞれ接続金具１０を介して圧縮材７を設け、最下部のスパンには垂直トラス８を無くした構造とした。ここで室内側の縦弦材９は外径２０ｍｍφで、ガラススクリーン２側の縦弦材９'は１２ｍｍφのそれぞれ機械構造用鋼棒とした。
【００２３】
垂直トラス８の上部、および水平トラス５の室外側弦材６'と垂直トラス８の室外側縦弦材９'との交点の接続金具１０に、図６に示すような支持金具１１を取付け、ガラス板１の四隅に設けた穿設部を締付支持するものであるが、該支持金具１１の構成は、上下二軸の軸部１７、１７'に回動自在でガラス板１と螺着した先端にネジ孔１６を設けた支持アーム１５を軸着したもので、ガラス板１の隅部に設けた穿設部に締付ボルト１９を挿通後、裏面よりナット２０で締付螺合し、さらに前記支持アーム１５の先端に設けたネジ孔１６に図示されないパッキンとナットを介して前記ガラス板１の穿設部に取付けた前記締付ボルト１９を固着させるものである。これにより上下左右の隣接したガラス板１、１間にはシリコンシーラント等のシール材２４を充填して硬化せしめれば、ガラススクリーン２となる。
【００２４】
本実施例の場合は最下部のスパンは垂直トラス８が無いために、本来引張材として機能すべき垂直トラス８の室内側縦弦材９がなく、ガラス板１の荷重により前に垂れようとする力が働くが、これを防止するために本発明では最下部のスパンのガラス板１をサッシ枠１３で支持し、ガラス板１の荷重により前に垂れようとする力を抑えた。さらに最下部より上方のスパンのガラス板１の荷重についても、最下部の垂直トラス８を無くしたことによる、室内側縦弦材９の本来の引張材としての機能が果たせず、ガラス板１の荷重により同じく前に垂れようとする力が働き、垂直トラス８の室内側の縦弦材９に圧縮力が働き、座屈変形が発生するが、これを抑えるために本実施例では垂直トラス８の室内側縦弦材９の外径を太くして２０ｍｍφとし、座屈変形を発生させないようにした。
【００２５】
ガラススクリーン２の両端部は図２、および図８に示すように自立柱３を取り囲む化粧板付近に固設したサッシ枠１３にはめ込み支持したが、２点支持用、または１点支持用の支持金具１１にてガラス板１の隅部穿設部を支持しても良い。
【００２６】
ガラススクリーン２の上端部は図７に示すように、２点支持用の支持金具１１にてガラス板を吊り下げ支持するが、ガラス板１の上端部については、エッジ部の保護、雨水の侵入防止、および美観上の観点よりサッシ枠１３にはめ込んでいる。
【００２７】
図４、図５には変形実施例として、ガラススクリーン２の面積を大きく取りたい場合、つまり自立柱３と自立柱３間の距離が長くなる場合の実施例で、自立柱３と自立柱３の中間部に補助の自立柱３'を設け、補助の自立柱３'が１カ所であれば自立柱３と自立柱３間を６列３段の１８枚のガラス板からなるガラススクリーン２が形成でき、補助の自立柱３'を複数本設ければさらに幅広いガラススクリーン２が形成できるものである。
【００２８】
いま、補助の自立柱３'のガラススクリーン２側と室内側にそれぞれ接続金具１０を固着させ、補助の自立柱３'の該接続金具１０と自立柱３に固着した取付金具１２、１２'にソケット継手１４を介して水平トラス５を張設した。水平トラス５の構造は前記実施例１と同様とし、前記自立柱３と自立柱３間に外径が１６ｍｍφからなる機械構造用鋼棒のロッド材１、２本を図４、図５のように張設し、中央部が室内側弦材６と室外側弦材６'からなり、外径３０ｍｍφの圧縮材７との交点部より自立柱３に向けて張設時は、室内側弦材６と室外側弦材６'とをクロスさせ、室外側弦材６'は自立柱３の室内側に設けた取付金具１２、および補助の自立柱３'の室内側に設けた接続金具１０に取付け、室内側弦材６は自立柱３の室外側に設けた取付金具１２'、および補助の自立柱３'の室外側に取付けた接続金具１０に取付け張設した。
【００２９】
水平トラス５の室内側弦材６はガラススクリーン２が風圧荷重に耐えられるように、１６ｍｍφの機械構造用鋼棒のロッド２本を張設した。
また水平トラス５の室内側弦材６と室外側弦材６'間には垂直トラス８と共有する３０ｍｍφの機械構造用鋼棒からなる圧縮材７を設け、室内外両方向からの風圧に対処すべく水平トラス５の張力を支え維持するものである。
【００３０】
垂直トラス８については前記実施例と同様で、図３および図７に示すように、上部構造体４に固着の吊金具２６に取付座２２を介して取付金具２１を、該取付金具２１の下方に固着した取付板２３を介して縦弦材９、９'と連結し、さらに水平トラス５と共有の圧縮材７と接続し、縦弦材９、９'は最下部スパンのガラス板１の上端位置までとし、該位置において縦弦材９、９'の下端間にそれぞれ接続金具１０、１０を介して圧縮材７を設け、最下部のスパンには垂直トラス８を無くした構造とした。ここで室内側の縦弦材９は外径２０ｍｍφで、ガラススクリーン２側の縦弦材９'は１２ｍｍφのそれぞれ機械構造用鋼棒とした。
【００３１】
ここで変形実施例では、補助の自立柱３'に接続金具１０が固着され、該接続金具１０にガラス板１の支持金具１１を軸着し、ガラス板１の隅部穿設部を支持するものであり、この部分においては垂直トラス８を必要とせず、ガラス板１の荷重を補助の自立柱３'にて支持するものである。
【００３２】
最下部のスパンのガラス板１の下端については、サッシ枠１３等にて支持し、該ガラス板１の荷重により、該ガラス板１が前に垂れないようにした。
さらに、図９（イ）、（ロ）に示すように、最下部のスパンのガラス板１の支持方法はＨ字状、またはＵ字状の溝にクロロプレンゴム等のセッティングブロック２７を介してガラス板１の下端を当接させ、弾性ゴム２９または弾性シーリング材２８を充填させて支持するようにしたもの、
或いは、図９（ハ）に示すように、ガラス板１の下端部をガスケット３０で覆い、支持するもの、
或いは、図９（二）に示すように、枠の一部が着脱自在なサッシ枠１３の溝にセッティングブロック２７を介してガラス板１の下端を当接させ、ガラス板１の下辺部両面に発砲ポリエチレンや、クロロプレンゴム等のバックアップ材３１を介してサッシ枠１３で挟み、シーリング材２８を充填させて支持するようにしたもの、
或いはまた、図９（ホ）に示すように、セッティングブロック２７と当接させ、シーリング材２８を充填して接着支持するようにしたもの、
或いはさらに、図示しないが、前記最下部スパンのガラス板１の下端の隅部の穿設部を独立した１点用または２点用の支持金具１１で支持するようにしてもよい。
【００３３】
ここで、ガラス板１とは強化ガラス板、半強化ガラス板、未強化ガラス板およびこれらを組み合わせ中間膜や樹脂注入により接着した合わせガラス板、さらにこれらに飛散防止フイルムを貼着したガラス板等も含むものである。
【００３４】
【発明の効果】
本発明のガラススクリーンのトラス構造は、ガラススクリーンの最下部のスパンにトラスが無く、ガラスだけで構成でき、透明性を一層向上させると共に、室内空間を広く有効に使うことができ、風圧荷重を水平トラス、吊下げ荷重を垂直トラスの各々のロッドで負担し、その取付けにコンパクトな張力導入手段を介在させることにより、取り付けが容易かつ初期の引張荷重を小さくでき、さらに水平トラスの弦材を交差延設し離間して固着することにより構造体のデプスを小さくでき、前記構成により弦材の圧縮や膨張を吸収し層間変位量を三軸方式の特異な支持金具で吸収するためガラス板への負担を解消し、また左右に傾いたガラス板はＶ字状のアームを軸着することと吊り下げ自重から重心安定の理が作用して復元し、サッシレスに加え主トラスおよび垂直トラスの直交の組合せによる美的効果、各ガラス板の重量を垂直トラスで支持するためガラス板の破損時には、その取り替えも容易にできる。
【図面の簡単な説明】
【図１】一部を切欠、省略したガラススクリーン側から見た該ガラススクリーンを支持するトラス構造の斜視図を示す。
【図２】本発明のトラス構造の一部を切欠き省略した水平トラスの平面図を示す。
【図３】本発明のトラス構造の一部を省略、切欠した垂直トラスの縦断面図を示す。
【図４】本発明のトラス構造の別の実施例のトラス構造の斜視図を示す。
【図５】本発明のトラス構造の別の実施例のトラス構造の一部を切り欠き省略した平面図を示す。
【図６】一部を省略、切欠し上下にＶ字状のアームを設けた取付金具を示す斜視図
【図７】上部構造体に取付けた支持金具の側面図を示す。
【図８】自立柱に張力導入手段を介して水平トラスを設ける一部を省略、切欠した平面図を示す。
【図９】最下部スパンのガラス板の下端部の支持方法を説明する一部を省略、切欠した縦断面図を示す。
【符号の説明】
１、１'      ガラス板
２            ガラススクリーン
３、３'      自立柱
４            構造体
５            水平トラス
６、６'      弦材
７            圧縮材
８            垂直トラス
９、９'      縦弦材
１０            接続金具
１１            支持金具
１３            サッシ枠
１４            ソケット継手
【図１】
0003599852.tif 000002
【図２】
0003599852.tif 000003
【図３】
0003599852.tif 000004
【図４】
0003599852.tif 000005
【図５】
0003599852.tif 000006
【図６】
0003599852.tif 000007
【図７】
0003599852.tif 000008
【図８】
0003599852.tif 000009
【図９】
0003599852.tif 000010